(57)【要約】【課題】本発明は、可変の出力圧力Ｐ＿ｄｅｓｉｒｅｄ＿ｏｕｔｐｕｔを生成するための金属水素化物コンプレッサの制御方法に関する。【解決手段】一定の温度下で金属水素化物の区画に水素ガスを流入させ、前記水素ガスの前記流入を停止する第１ステップと、所望の前記出力圧力Ｐ＿ｄｅｓｉｒｅｄ＿ｏｕｔｐｕｔにおいてアルファ＋ベータフェーズを通過した温度に相当する所定温度まで前記金属水素化物を加熱する第２ステップと、前記コンプレッサの出力接続を開放し、システムがアルファ＋ベータフェーズを完全に脱するまで前記出力圧力Ｐ＿ｄｅｓｉｒｅｄ＿ｏｕｔｐｕｔを一定に保つために、前記温度を調節することによって前記コンプレッサを一定の圧力下に保つ第３ステップと、を含む。【選択図】図１
2021508801.tif 000002
【特許請求の範囲】
【請求項１】
可変の出力圧力Ｐ＿ｄｅｓｉｒｅｄ＿ｏｕｔｐｕｔを生成するための金属水素化物コンプレッサの制御方法であって、
一定の温度下で金属水素化物の区画に水素ガスを流入させ、前記水素ガスの前記流入を停止する第１ステップと、
所望の前記出力圧力Ｐ＿ｄｅｓｉｒｅｄ＿ｏｕｔｐｕｔにおいてアルファ＋ベータフェーズを通過した温度に相当する所定温度まで前記金属水素化物を加熱する第２ステップと、
前記コンプレッサの出力接続を開放し、システムがアルファ＋ベータフェーズを完全に脱するまで前記出力圧力Ｐ＿ｄｅｓｉｒｅｄ＿ｏｕｔｐｕｔを一定に保つために、前記温度を調節することによって前記コンプレッサを一定の圧力下に保つ第３ステップと、を含む、
金属水素化物コンプレッサの制御方法。
【請求項２】
前記第１ステップは、さらに、前記金属水素化物の温度を一定に保持するために、前記金属水素化物の冷却を含むことを特徴とする、
請求項１に記載の金属水素化物コンプレッサの制御方法。
【請求項３】
前記第１ステップが、アルファ＋ベータフェーズの境界に達するまで継続することを特徴とする、
請求項１または２に記載の金属水素化物コンプレッサの制御方法。
【請求項４】
前記第３ステップにおいて特徴とする、
請求項１〜３のいずれか１項に記載の金属水素化物コンプレッサの制御方法。
【請求項５】
前記温度の調節は、ＰＩＤ制御、ＭＩＭＯ制御、または、任意の数の入出力および異なる検出装置を用いる制御、を含むグループから選択された制御方法で行われることを特徴とする、
請求項１〜４のいずれか１項に記載の金属水素化物コンプレッサの制御方法。
【請求項６】
前記水素ガスの発生源への接続は、機械的もしくは電気的な弁、または、他の閉鎖手段であるいくつかの閉鎖手段を用いて閉鎖されることを特徴とする、
請求項１〜５のいずれか１項に記載の金属水素化物コンプレッサの制御方法。
【請求項７】
前記コンプレッサの出力接続は、弁または他の電気的、機械的もしくは電気機械的システムであるいくつかの開放／閉鎖手段で開放される、
請求項１〜６のいずれか１項に記載の金属水素化物コンプレッサの制御方法。
【請求項８】
第３ステップの最後において、Ｈ２が完全に出力された時、出力接続は閉鎖されており、システムが冷却されることを特徴とする、
請求項１〜７のいずれか１項に記載の金属水素化物コンプレッサの制御方法。
【請求項９】
第２ステップにおいて前の周期と異なる温度Ｔ３を選択することにより、前の周期と異なる圧力を生成できるように、冷却の終期にさらなる周期が再び開始されることを特徴とする、
請求項１〜８のいずれか１項に記載の金属水素化物コンプレッサの制御方法。
【請求項１０】
請求項１〜９のいずれか１項に記載の金属水素化物コンプレッサの制御方法に従って動作することに適した、
金属水素化物コンプレッサ。
【請求項１１】
前記金属水素化物の区画は連続作動に適することを特徴とする、
請求項１０に記載の金属水素化物コンプレッサ。
【請求項１２】
多段階金属水素化物コンプレッサであることを特徴とする、
請求項１０または１１に記載の金属水素化物コンプレッサ。
【請求項１３】
各段階は、より高い圧縮比を生成するために、直列に配置された異なる合金を備える、
請求項１２に記載の金属水素化物コンプレッサ。
【発明の詳細な説明】
【技術分野】
【０００１】
本発明は、コンプレッサ、特に、圧力の出力が可変な、一段階または多段階金属水素化物コンプレッサに関する。
【背景技術】
【０００２】
金属水素化物は、多数の金属および合金が可逆的に大量の水素の吸着を行う、低圧下における水素吸蔵に一般に使用される。水素分子は、吸着の前に表面において分離され、吐出プロセスにおいて、２つのＨ原子はＨ２に再結合される。水素ガスからの水素化物生成の熱力学的様相は、図１に示される圧力―組成等温線と、当業者に知られる他の特性とによって説明される。
【０００３】
図は、左側に圧力集中温度のプロットを、ならびに、右側に平衡点の対数または温度の逆数に対するプラトー圧を示す。アルファフェーズは、吸収の前のフェーズであり、ベータフェーズは金属がＨで一度飽和したフェーズである。アルファ＋ベータフェーズ内で、圧力は、温度に応じて指数関数的に変わる。所望のプラトー温度において、脱離プロセスを開始し、所望の圧力下で水素ガスを放出するために、熱が金属水素化物に供給される。
【０００４】
水素化物コンプレッサは、異なる構成で開示されている。より高い圧縮比を可能にするために異なる合金が組み合わせられている多段階コンプレッサと同様に、単一の合金で作動する金属水素化物コンプレッサも存在する。連続的に作動するコンプレッサと同様にバッチ・モードで作動するコンプレッサもある。全てのコンプレッサは、固定された圧縮比を持つことを意味するように、１セットの離散的な温度／圧力レベルの間で作動する。
【０００５】
例えば特許文献１は、相互に連結し、ガス分配システム、および、加熱および冷却のそれぞれのための熱媒液および冷媒液システムの両方を含む熱伝達システムを備える、１つまたは複数の圧縮モジュールを含む金属水素化物コンプレッサを示す。コンプレッサは、循環ポンプにおけるスイッチと同様に流動系におけるスイッチを作動する制御システムを使用して、熱により運転される。制御システムは、加圧された水素を連続的に流出させるために、反対のフェーズと同時に２つの圧縮モジュールを作動させる。金属水素化物コンプレッサは固定圧縮比で作動する。
【０００６】
さらに、特許文献２は、多数の圧縮モジュールが同時に操作される装置に関する。加えて、過剰な熱は、中間の温度レベルにおいて、ヒートシンク側から持続的に取り除かれる。
【０００７】
さらに、特許文献３は、連結バルク貯蔵／一段階金属水素化物コンプレッサ、水素吸蔵合金および水素輸送／分配機構を開示している。当該装置は、２００℃以下の温度で１５００ｐｓｉ以上のレベルへの水素の圧縮と同様に、水素のバルク貯蔵に使用される。
【０００８】
最後に、特許文献４には、自動車に対して使用されるために開示された、周期的な金属水素化物コンプレッサの周期的な作動が記述されている。それは、金属水素化物で満たされた耐圧力性のタンクを備え、それぞれ放出される水素を周期的に吸着している。
【先行技術文献】
【特許文献】
【０００９】
【特許文献１】国際公開第２０１２／１１４２２９号
【特許文献２】欧州特許出願公開第２３９１８４６号明細書
【特許文献３】国際公開第２００３／００６８７４号
【特許文献４】独国特許出願公開第１０２００５００４５９０号明細書
【発明の概要】
【発明が解決しようとする課題】
【００１０】
これらの特許文献に開示されている装置の主要な問題のうちの１つは、開示されている装置のいずれも可変圧力を出力することができないということである。
【００１１】
この点では、発明の第一の目的は、圧力の出力が可変な一段階または多段階の金属水素化物コンプレッサ、および、その運転方法を提供することである。
【課題を解決するための手段】
【００１２】
上記の問題は本発明によって解決される。
【００１３】
本発明の第１態様は、一定の温度下で金属水素化物の区画に水素ガスを流入させ、前記水素ガスの前記流入を停止する第１ステップと、所望の前記出力圧力Ｐ＿ｄｅｓｉｒｅｄ＿ｏｕｔｐｕｔにおいてアルファ＋ベータフェーズを通過した温度に相当する所定温度まで前記金属水素化物を加熱する第２ステップと、前記コンプレッサの出力接続を開放し、システムがアルファ＋ベータフェーズを完全に脱するまで前記出力圧力Ｐ＿ｄｅｓｉｒｅｄ＿ｏｕｔｐｕｔを一定に保つために、前記温度を調節することによって前記コンプレッサを一定の圧力下に保つ第３ステップと、を含む、可変の出力圧力Ｐ＿ｄｅｓｉｒｅｄ＿ｏｕｔｐｕｔを生成するための金属水素化物コンプレッサの制御方法である。
【００１４】
本発明の好ましい実施例によれば、第１ステップは、さらに、温度を一定に保つための金属水素化物の冷却を含む。
【００１５】
好ましくは、第１ステップは、アルファ+ベータフェーズの境界に到達するまで、継続される。
【００１６】
有利には、温度の調節は、ＰＩＤ制御、ＭＩＭＯ制御、または、任意の数の入出力および異なる検出装置を用いる制御、を含むグループから選択された制御方法で行われる。
【００１７】
本発明の好ましい実施例によれば、水素ガスの発生源への接続は、例えば、機械的もしくは電気的な弁、または、他の閉鎖手段であるいくつかの閉鎖手段を用いて閉鎖される。
【００１８】
有利には、コンプレッサの出力接続は、例えば弁または他の電気的、機械的もしくは電気機械的システムである、いくつかの開放／閉鎖手段で開放される。
【００１９】
好ましくは、第３ステップの最後において、Ｈ２が完全に出力された時、出力接続は閉鎖されており、システムが冷却される。
【００２０】
本発明の好ましい実施例によれば、第２ステップにおいて前の周期と異なる温度Ｔ３を選択することにより、前の周期と異なる圧力を生成できるように、冷却の終期にさらなる周期が再び開始される。
【００２１】
本発明の第２態様は、本発明の第１態様に係る金属水素化物コンプレッサの制御方法による動作に適した金属水素化物コンプレッサである。本発明のこの装置の特別の利点は、本発明の第1態様に係る方法の利点に類似し、それらはここでは繰り返されない。
【００２２】
有利には、金属水素化物の区画は連続作動に適する。
【００２３】
好ましくは、金属水素化物コンプレッサは、多段階金属水素化物コンプレッサである。
【００２４】
本発明の好ましい実施例によれば、コンプレッサの各段階は、より高い圧縮比を生成するために、直列に配置された異なる合金を備える。
【図面の簡単な説明】
【００２５】
本発明のさらなる特別の利点および特徴は、添付の図面を参照する、少なくとも１つの本発明の実施の形態の非制限的な記述から、より明白になる。
【図１】図１は、本発明の金属水素化物コンプレッサ制御方法における、ファントホッフプロットで描かれた圧力−組成等温曲線を示す図である。
【発明を実施するための形態】
【００２６】
詳細な本記述は、実施例のいかなる特徴も、異なる実施例の他の特徴と、有利な方法で結合されるので、非制限的な方法で本発明を説明することを意図している。
【００２７】
本発明は、圧縮比が、非固定であり、ユーザによって変更または調節が可能である、一段階または多段階金属水素化物コンプレッサの制御方法に関する。
【００２８】
より具体的には、水素流出圧力は、本発明の方法による温度の制御により、値の取りうるいくつかの範囲中の要求された水準に調節される。一段階または多段階金属水素化物コンプレッサの制御方法は、例えば、外界の対流によってパッシヴであるか、もしくは、いくつかの液体冷却路を通じて、または、強制された空気の対流によってアクティヴである冷却方法によって、金属水素化物を冷却する間に一定の温度であるＴ１＝Ｔ２で、金属水素化物コンプレッサの中に水素ガスが流入する第１ステップを含む。図１では、このステップは、アルファ＋ベータフェーズの境界まで、等温線に沿ってポイント１から移動してポイント２に到達する状態によって表わされる。
【００２９】
例えば、温度は熱電対またはＲＴＤを使用してモニターされ、また、圧力は従来の圧力センサを使用してモニターされる。一旦ポイントＴ２に到達すれば、水素ガス流入は停止し、水素ガスの発生源への接続は、例えば機械的または電気的な弁、もしくは、他の閉鎖手段であるいくつかの閉鎖手段を使用して閉じられる。
【００３０】
このポイントにおいて、第２ステップでは、図１のポイント３において、金属水素化物は、予め計算された、または、オンラインで計算された、所望の出力圧力Ｐ＿ｄｅｓｉｒｅｄ＿ｏｕｔｐｕｔで、アルファ＋ベータフェーズを通過した温度に対応する温度Ｔ３まで加熱される。図３では、これはポイント３にポイント２をつなぐ垂線によって表わされる。温度Ｔ３は、様々なパラメータに依存するが、最も著しいものは、使用される材料および所望の出力圧力Ｐ＿ｄｅｓｉｒｅｄ＿ｏｕｔｐｕｔである。
【００３１】
一度所望の出力圧力Ｐ＿ｄｅｓｉｒｅｄ＿ｏｕｔｐｕｔが、Ｔ３までの加熱によって達成されると、コンプレッサの出力接続は、電気的、機械的または電気機械的システムである、いくつかの開放／閉鎖手段で開放され、システムは、温度を調節することによって一定の圧力下に維持される。事実上、脱離反応は吸熱性であるため、圧力を一定に維持するために、システムに追加の熱が供給されなければならない。
【００３２】
この調節は、比例、積分および微分（ＰＩＤ）制御、多入力多出力（ＭＩＭＯ）制御、または、特に１つもしくは 複数の温度検出装置および圧力検出装置を用いる、任意の数の入力および出力と異なる検出装置とを用いる制御を含むいかなる制御アプローチでも行われうる。
【００３３】
その後、本システムはポイント３から等温線に沿って移動し、また、いくつかのポイントでは、再びアルファ＋ベータフェーズに入る。
【００３４】
その後、本システムがポイント４においてアルファ＋ベータフェーズを脱するまで、一定の出力圧力Ｐ＿ｄｅｓｉｒｅｄ＿ｏｕｔｐｕｔを保証するために、本システムは適正な温度で維持される。
【００３５】
後続のステップが終了される場合、つまり、Ｈ２が完全に放出された場合、出力接続は閉鎖され、第２ステップにおいて前の周期と異なる温度Ｔ３を選択することにより、前の周期と異なる圧力を生成できるように、本システムは周期が再び開始されるポイント１まで冷却される。
【００３６】
本発明の別の態様は、上記の方法が実行される一段階または多段階金属水素化物コンプレッサに関する。このような一段階または多段階金属水素化物コンプレッサは、本装置の中の１つまたは多数の領域の中での温度調節を用いて、一定に（またはいくつかの決定された時間関数に従って可変に）保たれる可変の出力圧力Ｐ＿ｄｅｓｉｒｅｄ＿ｏｕｔｐｕｔを生成する。
【００３７】
好ましい実施例によれば、金属水素化物コンプレッサは、各段階が異なる材料を備え、前の段階からの入力として所望のＰ＿ｄｅｓｉｒｅｄ＿ｏｕｔｐｕｔを受け取るような、多段階金属水素化物である。
【産業上の利用可能性】
【００３８】
このようなコンプレッサは、可変圧縮比が必要とされ、圧縮された、および／または純化された水素を実験のために供給する研究室での使用のためのコンプレッサに限定されず、産業用水素圧縮応用システムでの使用のためのコンプレッサ、水素ガスステーションでの使用のためのコンプレッサ、および、燃料セルおよび／または電解装置を備える水素または金属水素化物エネルギー貯蔵システムでの使用のためのコンプレッサを含む、応用システムにおいて使用されうる。
【００３９】
実施例は、多くの実施例と結合されて記述されているが、多くの代替案、修正および変形例があり、または、本技術が応用可能な分野の当業者にとって当然であることは、明白である。従って、この開示は、この開示の範囲内である全ての代替案、修正、等価物および変形例を包含することが意図される。これは、例えば、特に、使用される正確な温度、使用される材料、モニタリングシステム、段階の数、温度センサ、および、本発明と連結されて使用されるすべての異なる装置に関する場合である。
【図１】
2021508801.tif 000003
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
可変の出力圧力Ｐ＿ｄｅｓｉｒｅｄ＿ｏｕｔｐｕｔを生成するための金属水素化物コンプレッサの制御方法であって、
一定の温度下で金属水素化物の区画に水素ガスを流入させ、前記水素ガスの前記流入を停止する第１ステップと、
所望の前記出力圧力Ｐ＿ｄｅｓｉｒｅｄ＿ｏｕｔｐｕｔにおいてアルファ＋ベータフェーズを通過した温度に相当する所定温度まで前記金属水素化物を加熱する第２ステップと、
前記コンプレッサの出力接続を開放し、システムがアルファ＋ベータフェーズを完全に脱するまで前記出力圧力Ｐ＿ｄｅｓｉｒｅｄ＿ｏｕｔｐｕｔを一定に保つために、前記温度を調節することによって前記コンプレッサを一定の圧力下に保つ第３ステップと、を含む、
金属水素化物コンプレッサの制御方法。
【請求項２】
前記第１ステップは、さらに、前記金属水素化物の温度を一定に保持するために、前記金属水素化物の冷却を含むことを特徴とする、
請求項１に記載の金属水素化物コンプレッサの制御方法。
【請求項３】
前記第１ステップが、アルファ＋ベータフェーズの境界に達するまで継続することを特徴とする、
請求項１または２に記載の金属水素化物コンプレッサの制御方法。
【請求項４】
前記温度の調節は、ＰＩＤ制御、ＭＩＭＯ制御、または、任意の数の入出力および異なる検出装置を用いる制御、を含むグループから選択された制御方法で行われることを特徴とする、
請求項１〜３のいずれか１項に記載の金属水素化物コンプレッサの制御方法。
【請求項５】
前記水素ガスの発生源への接続は、機械的もしくは電気的な弁、または、他の閉鎖手段であるいくつかの閉鎖手段を用いて閉鎖されることを特徴とする、
請求項１〜４のいずれか１項に記載の金属水素化物コンプレッサの制御方法。
【請求項６】
前記コンプレッサの出力接続は、弁または他の電気的、機械的もしくは電気機械的システムであるいくつかの開放／閉鎖手段で開放される、
請求項１〜５のいずれか１項に記載の金属水素化物コンプレッサの制御方法。
【請求項７】
第３ステップの最後において、Ｈ２が完全に出力された時、出力接続は閉鎖されており、システムが冷却されることを特徴とする、
請求項１〜６のいずれか１項に記載の金属水素化物コンプレッサの制御方法。
【請求項８】
第２ステップにおいて前の周期と異なる温度Ｔ３を選択することにより、前の周期と異なる圧力を生成できるように、冷却の終期にさらなる周期が再び開始されることを特徴とする、
請求項１〜７のいずれか１項に記載の金属水素化物コンプレッサの制御方法。
【請求項９】
請求項１〜８のいずれか１項に記載の金属水素化物コンプレッサの制御方法に従って動作することに適した、
金属水素化物コンプレッサ。
【請求項１０】
前記金属水素化物の区画は連続作動に適することを特徴とする、
請求項９に記載の金属水素化物コンプレッサ。
【請求項１１】
多段階金属水素化物コンプレッサであることを特徴とする、
請求項９または１０に記載の金属水素化物コンプレッサ。
【請求項１２】
各段階は、より高い圧縮比を生成するために、直列に配置された異なる合金を備える、
請求項１１に記載の金属水素化物コンプレッサ。
【手続補正２】
【補正対象書類名】明細書
【補正対象項目名】００２８
【補正方法】変更
【補正の内容】
【００２８】
より具体的には、水素流出圧力は、本発明の方法による温度の制御により、値の取りうるいくつかの範囲中の要求された水準に調節される。一段階または多段階金属水素化物コンプレッサの制御方法は、金属水素化物を冷却する間に一定の温度であるＴ１＝Ｔ２で、金属水素化物コンプレッサの中に水素ガスが流入する第１ステップを含む。冷却方法は、外界の対流によってパッシヴであるか、もしくは、いくつかの液体冷却路を通じて、または、強制された空気の対流によってアクティヴである。図１では、このステップは、アルファ＋ベータフェーズの境界まで、等温線に沿ってポイント１から移動してポイント２に到達する状態によって表わされる。
【国際調査報告】
2021508801.tif 000004
2021508801.tif 000005
2021508801.tif 000006